(57)【要約】【課題】  第２ディスプレイによって隠される面に受光角度変更可能な光発電プレートを設けておいて、第２ディスプレイを反転させて第１ディスプレイと共に大型表示部として使用するときにこの光発電プレートが補助電源として有効に作動するようにし、もって蓄電容量をカバーして長時間の使用にも耐えることのできる携帯無線端末を提供すること。【解決手段】  本体１の前記回動板４よって隠される面、又は前記回動板４の第２ディスプレイ５を設けた面と反対側の面、若しくはこれら両方の面に縦軸１１ｂ又は横軸１１ａを支点として受光角度が変更できるように取り付けられた光発電プレート１１を備えている構造構造。【選択図】図４
2005130221.tif 000002
【特許請求の範囲】
【請求項１】
表面に第１のディスプレイ(2)を備えた本体(1)と、該本体(1)の一縁部に設けられたヒンジ部(3)を介して本体(1)の背面に折り込まれた回動板(4)とを備え、この回動板(4)が本体(1)の背面に折り込まれた閉じ姿勢においてその外表面に第２のディスプレイ(5)が設けられており、該第２のディスプレイ(5)が第１のディスプレイ(2)とが同じ方向から視認できる姿勢まで回動板(4)が回動できるように形成されている携帯無線端末であって、本体(1)の前記回動板(4)よって隠される面、又は前記回動板(4)の第２ディスプレイ(5)を設けた面と反対側の面、若しくはこれら両方の面に縦軸(11a)又は横軸(11b)を支点として受光角度が変更できるように取り付けられた光発電プレート(11)を備えている携帯無線端末。
【請求項２】
光発電プレート(11)は、回動板(4)を閉じ姿勢から開放したときに、常時外側に向いて光を受ける姿勢となるように配置されている請求項１に記載の携帯無線端末。
【発明の詳細な説明】
【技術分野】
【０００１】
本発明は、文字や画像を表示するディスプレイを備えた小型の携帯無線端末に関するもので、主として携帯電話機に関するものである。
【背景技術】
【０００２】
近年、携帯電話機は電話としての機能に加えてインターネットや各種情報の出力端末としての機能が追加されて大容量の情報の表示が可能なディスプレイが要求されるようになった。そこで本発明者は特開２００２ー１１８６２８号公報に示すように、本体の背面に反転可能なサブの第２ディスプレイを設けて、大容量の情報表示が必要なときにこの第２ディスプレイを反転させて本体の正面に設けた第１ディスプレイと共に大型のマルチ表示部として使用できるようにしたものを提供した。
【特許文献１】特開２００２−１１８６２８号公報
【発明の開示】
【発明が解決しようとする課題】
【０００３】
この先行の本体では、通常の電話機として使用するときは本体の第１ディスプレイ並びに背面側に露出した第２ディスプレイを従来の携帯電話機と同じ用法で使用できるものでありながら、インターネットやテレビ受信の際には第２ディスプレイを反転させることにより本体の第１ディスプレイと共に大領域の大型マルチ表示部を形成することができて非常に便利である、といった優れた効果がある反面、大型マルチ表示部を形成して使用した場合に、消費電力が多くなって使用時間に限界がある、といった問題点があった。
【０００４】
そこで本発明は、第２ディスプレイによって隠される面に受光角度変更可能な光発電プレートを設けておいて、第２ディスプレイを反転させて第１ディスプレイと共に大型表示部として使用するときにこの光発電プレートが補助電源として有効に作動するようにし、もって蓄電容量をカバーして長時間の使用にも耐えることのできる携帯電話機等の携帯無線端末を提供することを主たる目的とするものである。
【課題を解決するための手段】
【０００５】
上記目的を達成する為に本発明では次のような技術的手段を講じた。即ち、本発明に係る携帯無線端末にあっては、表面に第１のディスプレイ２を備えた本体１と、該本体１の一縁部に設けられたヒンジ部３を介して本体１の背面に折り込まれた回動板４とを備え、この回動板４が本体１の背面に折り込まれた閉じ姿勢においてその外表面に第２のディスプレイ５が設けられており、該第２のディスプレイ５が第１のディスプレイ２とが同じ方向から視認できる姿勢まで回動板４が回動できるように形成されている携帯無線端末であって、本体１の前記回動板４よって隠される面、又は前記回動板４の第２ディスプレイ５を設けた面と反対側の面、若しくはこれら両方の面に縦軸１１ｂ又は横軸１１ａを支点として受光角度が変更できるように取り付けられた光発電プレート１１を備えている構造とした。ここにいう光発電とは、太陽電池のように光によって発電する電池全般を意味する。
【０００６】
前記光発電プレート１１は、回動板４を閉じ姿勢から開放したときに、常時外側に向いて光を受ける姿勢で配置しておくのがよい。これにより、回動板４を回動しただけで光発電プレート１１が発電作動を開始することができる。また必要に応じて、光発電プレート１１を縦軸１１ｂまたは横軸１１ａを支点として回動して受光角度を変更することにより更に効率の良い発電効果を発揮することができる。
【発明の効果】
【０００７】
本発明では、第２のディスプレイを反転させて第１のディスプレイと共に大領域の大型マルチ表示部として使用するときに光発電プレートが補助電源として動作して蓄電容量の不足をカバーし、長時間の使用にも耐えることができると共に、必要に応じて、光発電プレートを縦軸または横軸を支点として回動して受光角度を変更することにより更に効率の良い発電効果を発揮することができ、加えて、回動板を本体の背面に折り込んだ姿勢において光発電プレートが外部から隠されるので、機体の外的美観を損なうことが無く、従来と同じ意匠観で形成することができる、といった効果がある。
【実施例】
【０００８】
以下、本発明を携帯電話機に実施した場合の例に基ずき説明する。図１〜図４は本発明の第１実施例を示すもので、符号１は携帯電話機の本体を示す。該本体１の表面には従来の携帯電話機と同じように第１のディスプレイ２や各種操作ボタン７…、マイク８、スピーカー９が設けられており、上端にはアンテナ１０が設けられている。尚、図中１２は本体に取り付けられた電池、１３はカメラレンズを示す。
【０００９】
前記本体１の一縁部に設けられたヒンジ部３を介して回動板４が本体１の背面に重なるように折り込まれて取り付けられている。この回動板４が本体１の背面に折り込まれた閉じ姿勢において、その外表面に第２のディスプレイ５が設けられており、該第２のディスプレイ５が第１のディスプレイ２と略同じ方向に向く姿勢まで回動板４が回動反転できるように形成されている。
【００１０】
更に、本体１の前記回動板４よって隠される面と、前記回動板４の第２ディスプレイ５を設けた面と反対側の面の両方に光発電プレート１１、１１が設けられている。本実施例にあっては光発電プレート１１は、回動板４を閉じ姿勢から開放したときに、光を受ける姿勢となるように常時外側に向いて配置されている。
【００１１】
また光発電プレート１１は図４に示すように、その上端縁で横軸１１ａを支点として矢印方向に回動して受光角度が変更できるように取り付けられている。前記横軸１１ａには適度な制動機能が付加されていて、光発電プレート１１を任意の角度で静止できるように形成されている。
【００１２】
上記の構成において、本発明の携帯電話機を通常の電話機として使用するときは、図１に示すように回動板４を本体１の背面に閉じた姿勢のまま従来と同様の用法で使用すればよい。また、インターネット等の大容量の情報の表示が必要な場合は、図２に示すように電話機背面に折り畳んである回動板４を反転させて第２ディスプレイ５を本体１のディスプレイ２と共に大領域の表示部を形成させて大容量の文字や図形を表示させることができる。このとき、光発電プレート１１，１１は外部に露出して補助電源として動作するので、大領域のディスプレイにもかかわらず長時間の使用に耐えることができる。また必要に応じて、光発電プレート１１を横軸１１ａを支点として回動して受光角度を変更することにより更に効率の良い発電効果を発揮することができる。加えて、回動板４を本体１の背面に折り込んだ姿勢において光発電プレート１１が外部から隠されるので、携帯電話機としての外的美観や意匠観を損なうことが無い。
【００１３】
上記実施例では光発電プレート１１を横軸１１ａを支点として回動できるようにしたが、図５に示すように光発電プレート１１を縦軸１１ｂを支点として回動できるように形成することも可能である。
【００１４】
又本発明では、図６並びに図７に示すように、本体１が各種操作ボタン７を備えた本体部１ａとディスプレイ２を備えたパネル部１ｂとによって形成し、パネル部１ｂが本体部１ａに対して蝶番１４を介して折り畳みできるように形成された二つ折り式の携帯電話機にも適応することができる。即ち、前記パネル部１ｂの背面部に前記第１実施例と同様にヒンジ３を介して第２のディスプレイ５を備えた回動板４を回動自在に取り付け、本体１のパネル部１ｂの前記回動板４よって隠される面と、前記回動板４の第２ディスプレイ５を設けた面と反対側の面の両方に光発電プレート１１、１１を設ける。これにより先に示した第１実施例と同様に動作することができる。
【００１５】
以上本発明の代表的と思われる実施例について説明したが、本発明は必ずしもこれらの実施例構造のみに限定されるものではない。例えば上記各実施例で示した光発電プレート１１、１１の何れか一方を省略することも可能である。また光発電プレート１１はプレートの表裏両面または何れか一方に設けてもよい。その他本発明では、その構成要件を備え、かつ本発明の目的を達成し、下記の効果を奏する範囲内において適宜改変して実施できるものである。
【図面の簡単な説明】
【００１６】
【図１】本発明に係る携帯無線端末の第１実施例を示す斜視図。
【図２】上記携帯無線端末の回動板を回動、展開させた状態を示す正面図。
【図３】上記携帯無線端末の回動板を回動、展開させた状態を示す背面図。
【図４】図３の状態から光発電プレートの角度を少し変更した状態を示す斜視図。
【図５】本発明の別の実施例を示す図４同様の斜視図。
【図６】本発明に係る携帯無線端末の更に別の実施例を示す図２同様の正面図。
【図７】図６で示した実施例における図３同様の背面図。
【符号の説明】
【００１７】
１  本体
２  本体の第１のディスプレイ
３  ヒンジ部
４  回動板
５  第２のディスプレイ
１１  光発電プレート
１１ａ  横軸
１１ｂ  縦軸
【図１】
2005130221.tif 000003
【図２】
2005130221.tif 000004
【図３】
2005130221.tif 000005
【図４】
2005130221.tif 000006
【図５】
2005130221.tif 000007
【図６】
2005130221.tif 000008
【図７】
2005130221.tif 000009
【手続補正書】
【提出日】平成16年2月18日(2004.2.18)
【手続補正１】
【補正対象書類名】図面
【補正対象項目名】図３
【補正方法】変更
【補正の内容】
【図３】
2005130221.tif 000010